Podtech/llm-jp-corpus-v4-ja_patent huggingface dataset:
(57)【要約】【課題】駆動用モータに設けられたインバータにより回転数を制御するロータリーバルブ駆動システムであって、インバータに故障が発生した場合にも運転を中断することなく連続運転することができるという優れた特徴を有するロータリーバルブ駆動システムを提供する。【解決手段】駆動用モータに設けられたインバータにより回転数を制御するロータリーバルブ駆動システムであって、並列に設置された二以上のインバータを有し、そのうちの一のインバータを作動状態とし、他のインバータを待機状態とし、作動状態のインバータに故障が発生した際に待機中のインバータに切り替えて作動させ、よって運転を中断することなく連続運転することができるロータリーバルブ駆動システム。【選択図】      図１
2004270863.tif 000002
【特許請求の範囲】
【請求項１】
駆動用モータに設けられたインバータにより回転数を制御するロータリーバルブ駆動システムであって、並列に設置された二以上のインバータを有し、そのうちの一のインバータを作動状態とし、他のインバータを待機状態とし、作動状態のインバータに故障が発生した際に待機中のインバータに切り替えて作動させ、よって運転を中断することなく連続運転することができるロータリーバルブ駆動システム。
【請求項２】
インバータの切替が自動で行われる請求項１記載のシステム。
【請求項３】
モータが三相誘導電動機である請求項１記載のシステム。
【発明の詳細な説明】
【０００１】
【発明の属する技術分野】
本発明は、ロータリーバルブ駆動システムに関するものである。更に詳しくは、本発明は、駆動用モータに設けられたインバータにより回転数を制御するロータリーバルブ駆動システムであって、インバータに故障が発生した場合にも運転を中断することなく連続運転することができるという優れた特徴を有するロータリーバルブ駆動システムに関するものである。
【０００２】
【従来の技術】
ロータリーバルブとは、供給部と排出部と胴体とを備えた円形状のケーシングと、胴部内のローターに固定された回転羽根を備え、その複数の回転羽根がケーシング内を近接して回転するバルブである。回転数の制御を必要とするロータリーバルブは、駆動用モータに設けられたインバータにより回転数を制御する場合が一般である（たとえば、非特許文献１参照。）。しかしながら、インバータに故障が発生した場合には、ロータリーバルブを含むシステムが停止し、更には、その修理及び補修のためにロータリーバルブを含むシステムの運転を長時間に渡り、中断する必要があった。
【０００３】
【非特許文献１】
「三菱インバータ技術資料集」  発行  三菱電機  発行年月  昭和６３年３月
【０００４】
【発明が解決しようとする課題】
かかる状況において、本発明が解決しようとする課題は、駆動用モータに設けられたインバータにより回転数を制御するロータリーバルブ駆動システムであって、インバータに故障が発生した場合にも運転を中断することなく連続運転することができるという優れた特徴を有するロータリーバルブ駆動システムを提供する点にある。
【０００５】
【課題を解決するための手段】
すなわち、本発明は、駆動用モータに設けられたインバータにより回転数を制御するロータリーバルブ駆動システムであって、並列に設置された二以上のインバータを有し、そのうちの一のインバータを作動状態とし、他のインバータを待機状態とし、作動状態のインバータに故障が発生した際に待機中のインバータに切り替えて作動させ、よって運転を中断することなく連続運転することができるロータリーバルブ駆動システムに係るものである。
【０００６】
【発明の実施の形態】
駆動用モータに設けられたインバータにより回転数を制御するロータリーバルブ駆動システムとしては、電源と駆動用モータの間に、配線用遮断器、リアクトル、インバータ、電磁接触器、漏電遮断装置、過電流継電器を設けたシステムが例示することができる。駆動モータとしては、三相誘導電動機を例示することができる。ロータリーバルブとは供給部と排出部と胴体とを備えた円形状のケーシングと、胴部内のローターに固定された回転羽根を備え、その複数の回転羽根がケーシング内を近接して回転するバルブである。
【０００７】
本発明は、並列に設置された二以上のインバータを有し、そのうちの一のインバータを作動状態とし、他のインバータを待機状態とし、作動状態のインバータに故障が発生した際に待機中のインバータに切り替えて作動させ、運転を中断することなく連続運転することができるロータリーバルブ駆動システムである。
【０００８】
並列に設置された二以上のインバータは経済性等の観点から２〜３台が好ましい。並列に設置された二以上のインバータは同期をとることが望ましい。一のインバータが作動状態でも、待機状態のインバータが交換、修理、補修ができるようにすることが好ましい。待機状態のインバータが交換、修理、補修出来ない場合、連続してインバータの故障が発生した際にロータリーバルブを含むシステムの運転を中断する必要がでてくる。
【０００９】
インバータの切替は、インバータに故障が発生した場合に手動で行ってもよいが、確実性と省力性の観点から自動的に行われることが好ましい。自動化は通常の自動制御技術により行うことができる。
【００１０】
【実施例】
次に本発明を実施例により説明する。
実施例１
駆動用モータに設けられたインバータにより回転数を制御するロータリーバルブ駆動システムとしては、図１に示す装置を使用した。インバータは並列に二台設置した。速度指令信号を並列に設置されたインバータの両方共に、常時送ることにより同期をとることとした。一のインバータが作動状態でも、待機状態のインバータが交換、修理、補修ができるようにした。インバータの切替は、確実性と省力性の観点から作動状態のインバータの故障信号をハード的にシーケンスを作成し自動化にて行った。上記のロータリーバルブ駆動システムを用い、作動状態のインバータから故障信号を模擬で１０回発生させたところ、全回共に待機状態のインバータに切り替わり連続運転が出来た。
【００１１】
比較例１
待機状態のインバータが無い実施例１で、作動状態のインバータが故障した場合、連続運転が出来ずロータリーバルブ駆動システムは停止し、インバータの交換作業に３時間を費やした。
【００１２】
【発明の効果】
以上説明したとおり、本発明により、駆動用モータに設けられたインバータにより回転数を制御するロータリーバルブ駆動システムであって、インバータに故障が発生した場合にも運転を中断することなく連続運転することができるという優れた特徴を有するロータリーバルブ駆動システムを提供できた。
【図面の簡単な説明】
【図１】駆動用モータに設けられたインバータにより回転数を制御するロータリーバルブ駆動システムの概略図の例である。
【符号の説明】
１  インバータ（作動状態）
２  インバータ（待機状態）
３  電源
４  配線用遮断器
５  リアクトル
６  電磁接触器
７  過電流継電器
８ロータリーバルブ駆動モータ（三相誘導電動機）
【図１】
2004270863.tif 000003
(57)【要約】【課題】電力を節約することができる直流電磁ブレーキを提供する。【解決手段】磁性体からなる固定鉄心５と、一定間隙を設けて対向させた可動鉄心４と、コイル１及び戻しばね３を有し、コイル１に流れる電流の磁気作用により可動鉄心４を戻しばね３の力に抗して固定鉄心５に吸引させることで動作する直流電磁プレーキにおいて、並列に結線された二つのコイル１，２を持ち、始動時には両方のコイル１，２に通電し大きな吸引力を発生させ、吸引後には一方のコイル２を遮断し励磁電流を減少させる。【選択図】      図１
2004270875.tif 000002
【特許請求の範囲】
【請求項１】
磁性体からなる固定鉄心と、一定間隙を設けて対向させた可動鉄心と、コイル及び戻しばねを有し、前記コイルに流れる電流の磁気作用により可動鉄心を戻しばね力に抗して固定鉄心に吸引させることで動作する直流電磁プレーキにおいて、
並列に結線された二つのコイルを持ち、始動時には両方のコイルに通電し大きな吸引力を発生させ、吸引後には一方のコイルを遮断し励磁電流を減少させることを特徴とする直流電磁ブレーキ。
【発明の詳細な説明】
【０００１】
【発明の属する技術分野】
本発明は、直流によってコイルを励磁し、その磁気作用によって動作する直流電磁ブレーキに関するものである。
【０００２】
【従来の技術】
従来の直流電磁プレーキは、コイルに流れる電流の磁気作用により可動鉄心を戻しばね力に抗して吸引させることで二つ以上の摩擦面の圧着または開放を行っている（たとえば特許文献１）。
【０００３】
【特許文献１】
特開平８−９５８９号公報（図７）
【０００４】
【発明が解決しようとする課題】
しかしながら、このような従来技術においては、次のような問題があった。すなわち、ブレーキを動作させるためには、一定間隙を介して戻しばね力に抗し、可動鉄心を吸引する必要がある。したがってコイルはこの力を発生させられるものが必要となる。しかし一方、可動鉄心吸引後の間隙は０であるから、その状態を保つための吸引力は始動時に比べると比較的小さくて済む。しかし直流電磁石は励磁電流がコイル抵抗のみで決まり固定であるため、動作中は必要以上の励磁電流を流し続けることになる。したがって、電力の無駄が発生するという問題がある。
本発明は、このような問題を解決するためになされたもので、電力を節約することができる直流電磁ブレーキを提供することを目的とするものである。
【０００５】
【課題を解決するための手段】
上記問題を解決するため、本発明は、磁性体からなる固定鉄心と、一定間隙を設けて対向させた可動鉄心と、コイル及び戻しばねを有し、前記コイルに流れる電流の磁気作用により可動鉄心を戻しばね力に抗して固定鉄心に吸引させることで動作する直流電磁プレーキにおいて、並列に結線された二つのコイルを持ち、始動時には両方のコイルに通電し大きな吸引力を発生させ、吸引後には一方のコイルを遮断し励磁電流を減少させるようにしたものである。
【０００６】
【発明の実施の形態】
以下、本発明の実施例を図１および図２に基づいて説明する。
図１は本発明の実施例における直流電磁ブレーキを示す側断面図である。ここでは負作動型のブレーキを例として取り上げるが、正作動型でも基本的な考え方は同じである。図２は本発明の実施例における直流電磁ブレーキの回路の概略を示す回路図である。
図において、１は主コイル、２は始動コイル、３は戻しばね、４は可動鉄心、５は固定鉄心、６はブレーキ板、７ａ，７ｂはライニング、８ａ，８ｂは摩擦面、９は遮断スイッチ、ｇはギャップである。
本実施例においては、並列に結線された主コイル１及び始動コイル２を持つことを特徴とし、始動時には両方のコイルに通電し大きな吸引力を発生させ、間隙ｇを介し戻しばね３の力に抗して可動鉄心４を固定鉄心５に吸引する。これによってブレーキ板６を開放する。このとき遮断スイッチ９の動きは可動鉄心４に連動しているので、吸引後には始動コイル２への電流は遮断され、励磁電流が流れるのは主コイル１のみとなり電力が節約される。
また通電時に万が一振動などで可動鉄心４が固定鉄心５から離れてしまった場合でも、遮断スイッチ９が復帰するため、すぐさま始動コイル２へ励磁電流が供給され、再び可動鉄心４が吸引される。
なお、主コイル１と始動コイル２は、図１では同心円状に配置しているが、この順序はどちらが内側になっても構わない。また同心円状に配置する必要もない。図２に示す概略回路図のような構成となっていれば位置関係は自由である。
【０００７】
【発明の効果】
以上述べたように、本発明によれば、次のような効果がある。
（１）従来の直流電磁ブレーキと比較して電力を節約することが可能であるばかりでなく、ブレーキの発熱量が減るため、取り付けられた機械への熱害を減ら
すことができる。
（２）始動コイルへの通電時間はごく僅かであるため、始動コイルの発熱量も低く抑える事ができる。したがって使用する電源装置の許容範囲内で極端に大きな始動電流が流れるような設計も可能となる。このことはブレーキの設計の
自由度を大きく広げる事につながる。
例えば始動コイルの設計次第で始動時吸引力を大きくする事ができるため    、可動鉄心と固定鉄心の間隙を大きくし摩擦材の空転摩耗を減らすことも可    能となる。
（３）また負作動型の場合、同じく始動コイルを工夫して始動時吸引力を大きくすれば、戻しばねを強力にすることで摩擦面の圧着力を上げられるので、ブレーキトルクの増大を図ることができる。このことは逆に言えば、同トルクの
ブレーキを小型化できるということである。
【図面の簡単な説明】
【図１】本発明の実施例における直流電磁ブレーキを示す側断面図である。
【図２】本発明の実施例における直流電磁ブレーキの回路の概略を示す回路図である。
【符号の説明】
１    主コイル
２    始動コイル
３    戻しばね
４    可動鉄心
５    固定鉄心
６    ブレーキ板
７ａ，７ｂ    ライニング
８ａ，８ｂ    摩擦面
９    遮断スイッチ
ｇ    間隙
【図１】
2004270875.tif 000003
【図２】
2004270875.tif 000004
(57)【要約】【課題】橋梁の床板や桁材を現状のままの状態で、迅速且つ簡便に補強力の向上を図るための工法の提供。【解決手段】床板下面の桁材を対向する一対の橋台間へ架設したさい、各橋台箇所上に留金支柱を立設させ、且つ桁材下面の直交する方向へ支圧鋼材を当接させるほか、該支圧鋼材を介し桁材及び床板に対し前記対向する各橋台上に取付けた留金支柱間を掛け渡したワイヤーや棒鋼などの緊張材で上向きの補強力が付加されるものとなさしめる。このさい、各橋台箇所の留金支柱は、その対向状態で逆ハ字の対称関係に傾斜配置させたり、各桁材を挟んで両側方へ配設したりする。【選択図】      図１
2004270176.tif 000002
【特許請求の範囲】
【請求項１】
床板下面の桁材を対向する一対の橋台間へ架設したさい、各橋台箇所上に留金支柱を立設させ、且つ桁材下面の直交する方向へ支圧鋼材を当接させるほか、該支圧鋼材を介し桁材及び床板に対し前記対向する各橋台上に取付けた留金支柱間を掛け渡したワイヤーや棒鋼などの緊張材で上向きの補強力が付加されるものとなしたことを特徴とする橋梁補強工法。
【請求項２】
各橋台箇所の留金支柱を、その対向状態で逆ハ字の対称関係に傾斜配置させたことを特徴とする請求項１記載の橋梁補強工法。
【請求項３】
桁材を挟んで両側方へ夫々れ留金支柱を設けたことを特徴とする請求項１又は２記載の橋梁補強工法。
【発明の詳細な説明】
【０００１】
【発明の属する技術分野】
本発明は、橋梁補強工法に関する。
【０００２】
【従来の技術】
橋梁の耐震性や補強性の向上を図る取り組みには、種々なる提案がなされているが、専ら床板や桁材などの構造体に対し、直接或いは間接に施される補強である。
【０００３】
【特許文献１】
【０００４】
【発明が解決しようとする課題】
本発明は上記に於ける橋台や桁材或いは床板などの構造自体の直接的或いは間接的補強には、時間と経費が掛かり過ぎることから、従来構造のままのものを部分的な一部設備の取付け及び配置で簡便且つ効率の良い補強力の向上が図れるようにするものである。
【０００５】
【課題を解決するための手段】
本発明は床板下面の桁材を対向する一対の橋台間へ架設したさい、各橋台箇所上に留金支柱を立設させ、且つ桁材下面の直交する方向へ支圧鋼材を当接させるほか、該支圧鋼材を介し桁材及び床板に対し前記対向する各橋台上に取付けた留金支柱間を掛け渡したワイヤーや棒鋼などの緊張材で上向きの補強力が付加されるものとなさしめる。
【０００６】
このさい、各橋台箇所の留金支柱を、その対向状態で逆ハ字の対称関係に傾斜配置させたものとなすのであり、また各桁材を挟んでその両側方へ夫々れに留金支柱を設けたものとなすのである。
【０００７】
【発明の実施の形態】
図面は本発明工法の実施例を示すものであって、図１は正面図、図２は図１のＸ−Ｘ線断面図である。各図に於いて１，１は橋台、２は該橋台１，１間に架設する橋梁であって、２ａはその床板、２ｂ，２ｂはその下面側の桁材である。
【０００８】
上記は従来に於ける橋梁の構成であるが、本発明では橋台１，１上へ載置させる桁材箇所に対し、これと並行して留金支柱３を立設させたものとなすのであり、立設にさいしその上端をその固定される基台位置より橋梁床板の奥側端部箇所に位置させるようになすのであり、具体的にはその基台３ａを橋梁奥側端部ｍより少し前方へ位置させる傾斜状態となすのであり、このことは図１で見られる通り一対の対向する橋台上で夫々れの留金支柱３，３は逆ハ字の対称関係となされるものとなる。
【０００９】
４は対向する留金支柱３，３間に掛け渡したワイヤーや棒鋼などの緊張材、５は桁材２ｂの中央箇所の下面側へこれと直交する方向へ配設させた支圧鋼材であって、上記緊張材４の引締めによる緊張力で上向きの支圧力Ｔを桁材２ｂ及び床板２ａに対し付加されるようになさしめるのである。６はその緊張金具としたターンパックルである。上記実施例では緊張金具６を緊張材４の途中に１箇設けたものについて示したが、１箇に限らず２箇となしたり、将又留金支柱３の固定位置付近に取付けたりする構成となすことができる。
【００１０】
本発明の実施に於いて、留金支柱３は桁材２ｂの各端縁部が橋台１，１上へ載置されるさいに、桁材２ｂの左右隣り箇所ではこれを挟む状態に取付けるようになすと良く、即ち本例では図２に見られる通りの如くに実施される。而して、各留金支柱３が相互の対向状態で逆ハ字の対称関係となされることは、上記に於ける緊張材４の強力な引締め作用時に於いて仮に該留金支柱３が中央方向へ引起こされるような力が働いたとしても、各留金支柱３は基台３ａを基点とする引き起こし側となる円弧の頂点が床板２ａの下面と当接するものとなって、緊張材４の緩みの限界的ストッパー作用を果たすものとなるのである。
【００１１】
上記に於ける緊張金具６とされるターンパックルは、図示例に限らず各留金支柱３の箇所へ取付けしめ、該箇所で操作するようになすことができる。また、その使用箇数や緊張材４のワイヤーなどの使用本数或いは掛け方などに関しては任意に設計して実施することのできるものである。
【００１２】
【発明の効果】
本発明は以上の如く構成するものであって、既存設備の構造自体即ち床板や桁材などの構造物自体の補強はさておき、先ず以ってその現状に於ける迅速且つ簡便な補強工事の応急的に行えるものとなるのである。而して、その補強力Ｔは緊張材４の緊張力（締付力）Ｐと牽引角αの積によって計算されるものであり、これが支圧鋼材５を介して桁材２ｂ及び床板２ａに対し上向きの補強力Ｔとして作用するのである。このさい、上記補強力Ｔは支圧鋼材５の高さや緊張材４の締付力の適宜必要な調節で変更可能になすことができる。
本発明者の実験によれば、本発明により桁材１本当たり５〜７ｔｏｎ程度の通行荷重の補強を可能にすることができ、且つこれに対する従来工法との比較でその施工期間や工費を凡そ１／１０以下にすることを可能にできたものである。
【図面の簡単な説明】
【図１】本発明工法の実施例を示す正面図である。
【図２】図１のＸ−Ｘ線断面図である。
【符号の説明】
１      橋台
２      橋梁
２ａ    床板
２ｂ    桁
３      留金支柱
４      緊張材
５      支圧鋼材
６      緊張金具
【図１】
2004270176.tif 000003
【図２】
2004270176.tif 000004
【手続補正書】
【提出日】平成15年3月6日(2003.3.6)
【手続補正１】
【補正対象書類名】明細書
【補正対象項目名】０００３
【補正方法】変更
【補正の内容】
【０００３】
【非特許文献１】
「土木工法事典  改訂Ｖ」２００１年９月４日産業調査会
事典出版センター，Ｐ１１７９  〜  Ｐ１１８７
(57)【要約】【課題】ブローチのピンで衣類の生地を傷つけることなく、ブローチの取りつけが可能な衣類を提供する。また、衣類の装飾品として、ブローチ以外のアクセサリーを提供する。【解決手段】アクセサリーを取りつける通し穴（二個）を衣類の胸部等につけた。また、アクセサリー上端部（リング等）を開閉式等にして、上記の通し穴に取りつけ可能とした。【選択図】  図２
2004270120.tif 000002
【特許請求の範囲】
【請求項１】
アクセサリーの通し穴（２個）を胸部や肩下部などにつけた上衣類
【請求項２】
アクセサリーの通し穴（２個）をベルト下部や膝上部などにつけたスカートやズボン類
【請求項３】
請求項１及び請求項２に記載の通し穴より小さい直径の取りつけ部（開閉式の上端部）をもつ衣類用アクセサリー
【発明の詳細な説明】
【０００１】
【発明の属する技術分野】
本発明は、アクセサリー通し穴をつけた衣類に関するものである。
【０００２】
【従来の技術】
従来のアクセサリーは、ネックレス、イヤリング、ペンダント、ブローチ、指輪、キーホルダー等種々あるが、衣類につけるアクセサリーはブローチだけである。
ブローチは、裏面のピンを衣類に刺して取り付ける（固定する）ものである。登録実用新案平成８年第３０３２２５３号公報において、衣類の肩下にボタン穴状の飾り穴をつけ、アクセサリーを取りつける考案が出願されているが、ボタン穴状の飾り穴は大きくて、衣類の外観を損ね、そのアクセサリーも押し込み係止部材を必要とするため、デザイン的に限定されたものである。
【０００３】
【発明が解決しようとする課題】
ピンで衣類の生地を傷つけることなく、ブローチの取りつけを可能とする。
また、洋服の装飾品として、ブローチ以外のアクセサリーを提供する。
【０００４】
【課題を解決するための手段】
アクセサリーを取りつける通し穴（二個）を衣類の胸部等につけた。
また、アクセサリー上端部（リング等）を開閉式等にして、上記の通し穴に取りつけ可能とした。
【０００５】
【実施例１】
上衣類の胸部や肩下部等にアクセサリーを取りつける通し穴（二個）をつけた。
通し穴（二個）の間隔は、従来の平均的なブローチのピンの長さより短くした。
また、ズボンやスカートのベルト下部や膝上部にも、同じ通し穴（二個）をつけた。
さらに、通し穴は金具や糸で補強した。
【０００６】
【実施例２】
衣類にロゴ（例えばｐｉｏ）をつけ、その文字のｐとｏのように文字のラインで囲まれた位置に、実施例１の通し穴をつけた。
【０００７】
【実施例３】
従来のブローチ裏面のピンを太く（実施例１の通し穴よりやや細く）し、先端を鋭利でないものとした。
留め部分は、どのような構造でもよい。
【０００８】
【実施例４】
アクセサリー上端部（○型、楕円型、Ｕ型リング）を開閉式として、そのリングには短いチェーン、ペンダントやネックレスのトップタイプ及びストラップタイプのアクセサリー等を接続した。
また、開閉式リング単体をアクセサリーとした。
開閉式リングの材質及び留め部分の構造は、どのようなものでもよい。
【０００９】
【発明の効果】
本発明により、衣類の生地を傷めることなく、従来のブローチを簡単に取りつけることができる。
実施例３に示すブローチを用いると、ピンの先端が鋭利ではないので指や身体を傷つけることがない。
また、実施例４に示す吊り下げタイプのアクセサリーの取りつけが可能となり、衣類に固定される従来のブローチにはない、斬新で動きのあるアクセサリーを提供できる。
また、リングに様々なタイプのアクセサリーを接続することにより、豊富な種類のコーディネイトを楽しめる。
【図面の簡単な説明】
【図１】本発明（請求項１）を示す図である。
【図２】本発明の請求項３を請求項１に取りつけた図である。
【図３】本発明（請求項３）の開閉式リングを示す図である。
【符号の説明】
１は、アクセサリー通し穴
２は、請求項３のアクセサリー
【図１】
2004270120.tif 000003
【図２】
2004270120.tif 000004
【図３】
2004270120.tif 000005
(57)【要約】【課題】従来の人造花は、動的でない。また香気も出さない。家庭平和の価値観とも結びついてない。反面、自然の花には香気があるが早くしゅぼんでしまう。【解決手段】モータの回転軸に連結されたカムとファンが動き回る。カムが上下作動する板８を打てば茎（外）の中の茎（内）が上がります。茎（内）ががくの底を押し上げれば茎（外）と花びらの弱い部分の接触部１５に止まっていた花びらの弱い部分が押し上げられる。花びらが咲いて蝶３が飛び上がる。カムが上下作動する板を打っていない間には茎（内）が下がって花びらが閉じる。また、カムのファンによって溜まっていた香気性分が茎（外）と茎（内）の間を通して外部に放出する。【選択図】図３
2004270116.tif 000002
【特許請求の範囲】
【請求項１】
自然法則とエネルギーを利用して香気を放出し花びらが咲いて閉じる本機能を特徴とする人造花。
【発明の詳細な説明】
【０００１】
【発明の属する技術分野】
本発明は、人造花に関する。
【０００２】
【従来の技術】
従来の人造花は動的でない。また、香気も出さない。
【０００３】
家庭平和の価値観を強調して造れてない。
【０００４】
【発明が解決しようとする課題】
以上に述べた従来の人造花には欠点があり不充分な点があるものであった。
【０００５】
本発明は、このような従来の機能が有していた問題を解決しようとするものであり、花と香気と蝶と植木鉢が効果的にその価値を発揮して家庭に貢献することを目的とするものである。
【０００６】
【課題を解決するための手段】
そして、本発明は上記目的を達成するために数秒ごとに花が咲いて閉じるようにして植木鉢の中からは香気を吐き出すようにしたものである。また奥さんを象徴する花がご主人を象徴する蝶に向かって香気を吐き出す様子を表現することによって夫婦の円満と家庭平和が認識できるように設けたものである。
【０００７】
すなわち、自然的なものをより効果的に応用したものである。この様子とこれに付いている趣旨の説明書を読むことにより誰でも快楽感を持ってれるように設けたものである。
【０００８】
【発明の実施の形態】
以下、本発明の実施の形態を図１〜図４に基づいて説明する。
【０００９】
図１においては、植木鉢１の上部で、数秒ごとに咲いて閉じる人造花（動）２があってその中にはそれに合わせて動く蝶３がある。
【００１０】
図２においては、人造花（動）２と蝶３を動かせる操作スイッチ４、コンセント５、バッテリーケース６が並んである。
【００１１】
動作を説明する。図３、図４においては、操作スイッチ４を入れれば植木鉢１の中のモータ１０が起動すろ。
【００１２】
回転軸１１に連結されたカム１２とファン１２−ａが動き回る。カム１２が上下作動する板８を打てば茎（外）７の中の茎（内）７−ａが上がります。
【００１３】
茎（内）７−ａががくの底１３を押し上げれば茎（外）７と花びらの弱い部分の接触部１５に止まっていた花びらの弱い部分が押し上げられる。図４の花びらが咲いて蝶３が飛び上がる。
【００１４】
カム１２が上下作動する板８を打っていない間は茎（内）７−ａが下がって花びらが閉じる。
【００１５】
また、カム１２のファン１２−ａによって溜まっていた香気性分９−ａが茎（外）７と茎（内）７−ａの間を通して外部に放出する。
【００１６】
以上、本実施形態によれば動かない人造花に止まらず動的で香気まで放出することができる。
【００１７】
【発明の効果】
上述したように本発明の夫婦の花は、大事な自然の価値を再認識させながら夫婦の円満と家庭平和に役に立てられるものである
【００１８】
また、花を見て香気の臭いを嗅ぐことによって精神健康にも役に立つ効果が得られるものである。
【図面の簡単な説明】
【図１】本発明の実施形態を示す平面図
【図２】同正面図
【図３】同植木鉢の内部詳細図
【図４】同花びらの詳細図
【符号の説明】
１。植木鉢
２。人造花（動）
２−ａ。人造花（静）
３。蝶
４。操作スイッチ
５。コンセント
６。バッテリーケース
７。茎（外）
７−ａ。茎（内）
８。上下作動する板
８−ａ。離脱防止リング
９。放出する香気
９−ａ。香気性分
１０。モータ
１１。回転軸
１２。カム
１３。がくの底
１４。部品集中所
１５。花茎（外）７花びらの弱い部分の接触部
【図１】
2004270116.tif 000003
【図２】
2004270116.tif 000004
【図３】
2004270116.tif 000005
【図４】
2004270116.tif 000006
【手続補正書】
【提出日】平成16年3月27日(2004.3.27)
【手続補正１】
【補正対象書類名】明細書
【補正対象項目名】０００５
【補正方法】変更
【補正の内容】
【０００５】
本発明は、このような従来の機能が有していた問題を解決しようとするものであり、花と香気と蝶と植木鉢が自然美を再現し、癒し的効果を高めて、自然の大切さを認識させることを目的とするものである。


【手続補正２】
【補正対象書類名】明細書
【補正対象項目名】０００７
【補正方法】変更
【補正の内容】
【０００７】
すなわち、自然的なものをより効果的に応用したものであり、この様子を観賞することによって、情緒的な安定感をもたらすように設けたものである。


【手続補正３】
【補正対象書類名】図面
【補正対象項目名】図１
【補正方法】変更
【補正の内容】
【図１】
2004270116.tif 000007
【手続補正４】
【補正対象書類名】図面
【補正対象項目名】図２
【補正方法】変更
【補正の内容】
【図２】
2004270116.tif 000008
【手続補正５】
【補正対象書類名】図面
【補正対象項目名】図３
【補正方法】変更
【補正の内容】
【図３】
2004270116.tif 000009
(57)【要約】【課題】本発明は、洗顔時に効率良く顔等を洗える洗顔用手袋を提供する。【解決手段】穴４をあけた手袋１をポリエステル、ナイロン等の超極細繊維２で製作する。【選択図】図１
2004270118.tif 000002
【特許請求の範囲】
【請求項１】
穴４をあけた手袋１をポリエステル、ナイロン等の超極細繊維２で製作する。
【請求項２】
穴４をあけた指サック３をポリエステル、ナイロン等の超極細繊維２で製作する。
【発明の詳細な説明】
【０００１】
【発明の属する技術分野】本発明は、洗顔時に効率良く洗える洗顔用手袋に関する物である
【０００２】
【従来の技術】従来は手で洗顔していたが、これでは、毛穴まで綺麗にすることは出来なかった。
【０００３】
【発明が解決しようとする課題】顔等を手で洗っても毛穴まで届かず顔の表面だけの洗浄に終始していた。
【０００４】
【課題を解決するための手段】上記問題を解決するために、穴４をあけた手袋１をポリエステル、ナイロン等の超極細繊維２で製作する。また、レース状又は、メッシュ状等に製作しても良い。
【０００５】
【発明実施の形態】穴４をあけた手袋１をポリエステル、ナイロン等の超極細繊維２で製作する。また、本体をレース状又は、メッシュ状等に製作しても良い。
【０００６】
【実施例】本発明の洗顔用手袋を使用するときはまず、その手袋を手にはめ、そのまま手で顔を洗うのと同様に洗顔料を手袋の上につけ泡立てて、洗うだけである。
【０００７】
【発明の効果】
本実施例によれば、手袋１がポリエステル、ナイロン等の超極細繊維２になっており、これを手にはめ、洗顔することにより、効率良く顔等が洗える。また、本体に穴４をあける又は、レース状又は、メッシュ状等に製作することにより、手が入れやすく、使った後乾きやすくなる。さらに、第２の実施例によれば、本体が、指サック３になっていることにより、より簡易に使用することが出来る。なお、指サック３を一つ一つの指につけるのが面倒なときは、つなげても良い。
【図面の簡単な説明】
【図１】本発明の斜視図
【図２】本発明第２の実施例
【符号の説明】
１洗顔用手袋本体
２ポリエステル、ナイロン等の超極細繊維
３指サック
４穴
【図１】
2004270118.tif 000003
【図２】
2004270118.tif 000004
(57)【要約】【課題】祝用花輪その他の花輪に対して、蓄光剤を施し、その上に常温硬化液状ガラスをコーティングする事で花輪から光を発し、劣化、汚れを防ぐ花輪を提供する。【解決手段】図１の従来の花輪に、図２のように▲３▼を施し、その上に▲２▼をコーティングする事で従来の花輪は光を放し、劣化、汚れに強い花輪となる。▲３▼を施す場合はけなどで塗っても良い。▲２▼をコーティングする場合もはけ及び噴霧する事で行っても良い。新商品として作成する場合も図３のように▲２▼▲３▼を作成の段階でやる事が望ましい。【選択図】  図２
2004270119.tif 000002
【特許請求の範囲】
【請求項１】
花輪に蓄光剤を施し、その上に常温硬化液状ガラスをコーティングする事を特徴とした花輪。
【請求項２】
花輪は夜中になっても、蓄光剤の効果で光を放つ事を特徴とした花輪。
【請求項３】
花輪の艷が保て、強度も増し、変色もしない事を特徴とした花輪。
【発明の詳細な説明】
【０００１】
【発明の属する技術分野】
本願発明は、祝用花輪その他の花輪に対して、蓄光剤を施してその上に常温硬化液状ガラスをコーティングする事で汚れを防ぎ、夜光を発し、艶が保て、強度も増し何回洗っても変色しない為に今までの数倍使用できる花輪に関する。
【０００２】
【従来の技術】
従来の花輪は、路上、屋外に設置する為、車の埃などを防ぐ為にビニールをかぶせたり、プラスチック用の花輪であり、劣化、汚れなどの対策を講じない為に困惑ことが多々あった。
【０００３】
【発明が解決しようとする課題】
従来の花輪は、屋外設置する為の劣化、汚れの対策を講じないばかりか、特に祝用花輪には宣伝の目的もあったはずである。本願発明は、劣化、汚れを防止し、長持ちさせ、夜は下地の色を浮き出せる光を放ち、宣伝には抜群の効果を容易に解決できる発明である。
【０００４】
【目的】
本願発明は、蓄光剤と常温硬化液状ガラスコーティングを施し、花輪その物から光を発し、劣化、汚れを防ぐ蓄光剤と常温硬化液状ガラスコーティングを施した花輪を提供する物である。
【０００５】
【課題を解決するための手段】
上記目的を実現する為、本願発明は従来からある花輪に対しては、蓄光剤と常温硬化液状ガラスをコーティングする事でも可能であるが、新しく作成する物は作成の段階で蓄光剤と常温硬化液状ガラスを施してなる事を特徴としている。
【０００６】
【発明の実施の形態】
本願発明に係る実施形態例に付いては、図面にて詳細に説明する。
【０００７】
図１のような花輪の全部の部分に▲３▼蓄光剤を施し、その上に図２のように▲２▼常温硬化液状ガラスをコーティングする事で光を放つ。
【０００８】
図３のように従来の花びらの上に▲３▼蓄光剤を施し、更にその上に▲２▼常温硬化液状ガラスをコーティングし劣化と汚れを防ぐ。
【０００９】
以上、本願発明は従来の花輪と比較しても、光を放し、劣化、汚れを防止するなど利便性の全てに於いて優れており、利用者への貢献度は顕著な物である。
【図面の簡単な説明】
【図１】花輪を書面から見た姿図
【図２】花びら一個を２ヶ所欠いた斜視図
【図３】花びらの断面図
【符号の説明】
▲１▼  祝用の花輪
▲２▼  常温硬化液状ガラス
▲３▼  蓄光剤
▲４▼  花びら
【図１】
2004270119.tif 000003
【図２】
2004270119.tif 000004
【図３】
2004270119.tif 000005
(57)【要約】【課題】女性がズボンをはいた際に、ズボンの裏側の股部分にあるクロス状の縫い目が、地肌に触れる不快な感触を緩和させるための、ズボン専用の女性用下着。【解決手段】女性用下着パンツの股部分を、通気性の良い厚手の布地を縫い付けることによって、ズボンの裏側の股部分にあるクロス状の縫い目は、女性用下着パンツの股部分に縫い付けられた通気性の良い厚手の布地に触れることになる。よって、ズボンの裏側の股部分にあるクロス状の縫い目が、ズボンをはいている女性の地肌に伝わる不快な感覚を緩和することができる。【選択図】        図２
2004270106.tif 000002
【特許請求の範囲】
【請求項１】
女性用下着パンツの股部分を、通気性の良い厚手の布地で縫い付け、ズボンの裏側の股部分にあるクロス状の縫い目を地肌に触れる不快な感触を緩和するズボン用女性用下着パンツ。
【発明の詳細な説明】
【０００１】
【発明が属する技術分野】
本発明は、ズボンをはく女性用の下着パンツである。
【０００２】
【従来の技術】
従来、女性用下着パンツは、股部分が薄手であったため、ズボンをはいたところ、ズボンの裏側の股部分にあるクロス状の縫い目が地肌に触れる感触があり、不快であった。
【０００３】
また、女性用下着パンツの股部分が厚手の尿失禁パンツでは、尿漏れ防止専用の布地で作成されており、尿漏れではない目的では使用できなかった。
【０００４】
本発明は、ズボンの裏側の股部分にあるクロス状の縫い目が気にならないよう、女性用下着の股部分に、通気性の良い厚手の布地を縫い付けた。
【０００５】
このようにすれば、ズボンの裏側の股部分にあるクロス状の縫い目が、下着の厚手の布地に接するため、不快な感触を緩和する効果がある。
【０００６】
【発明が解決しようとする課題】
解決しようとする問題点は、女性がズボンをはく際に、ズボンの裏側の股部分にあるクロス状の縫い目を地肌に触れる不快な感触を緩和することである。
【０００７】
【課題を解決するための手段】
本発明は、女性用下着の股部分を通気性の良い厚手の布地で縫い付けることとした。
【０００８】
【発明の実施の形態】
女性が、ズボンをはく際に、ズボン用の下着パンツとして本発明を着用する。
【０００９】
【実施例】
図１は、本発明の１実施例の説明図であって、１は、本発明の女性用下着で、２は、通気性の良い厚手の布地で縫い付けられた股部分である。３は、実施例として、市販のズボンを示し、４は、ズボンの裏側の股部分にあるクロス状の縫い目を指し示す。
【００１０】
図２は、本発明の２実施例で、女性用下着１を、ズボン３に重ねた実施例の説明図である。ズボンの裏側の股部分にあるクロス状の縫い目４が、通気性の良い厚手の布地で縫い付けられた股部分３に接している。
【００１１】
【発明の効果】
本発明のズボン用女性用下着パンツは、ズボンの裏側の股部分にあるクロス状の縫い目を地肌に触れる不快な感触を緩和させる効果がある。
【図面の簡単な説明】
【図１】ズボン用女性用下着パンツの実施方法を示した説明図である。（実施例１）
【図２】ズボン用女性用下着パンツの実施方法を示した説明図である。（実施例２）
【図３】ズボン用女性用下着パンツの正面図である。
【図４】ズボン用女性用下着パンツの背面図である。
【図５】ズボン用女性用下着パンツの右側面図である。左側面図は、右側面図と同一にあらわれるため省略する。
【図６】ズボン用女性用下着パンツの平面図である。
【図７】ズボン用女性用下着パンツの低面図である。
【符号の説明】
１    女性用下着
２    通気性の良い厚手の布地で縫い付けられた股部分
３    ズボン
４    ズボンの裏側の股部分にあるクロス状の縫い目
【図１】
2004270106.tif 000003
【図２】
2004270106.tif 000004
【図３】
2004270106.tif 000005
【図４】
2004270106.tif 000006
【図５】
2004270106.tif 000007
【図６】
2004270106.tif 000008
【図７】
2004270106.tif 000009
(57)【要約】      （修正有）【課題】チリ硝石を１次媒体としたボイラーを使用する事によりボイラー効率の飛躍的な上昇と燃料の節約に大きく貢献すること。【解決手段】１次媒体のチリ硝石は単体で加熱すると、１２０℃から溶融し始め６００℃まで静かに温度が上昇し蓄熱状態になる。このボイラーのすぐれているところは、１次媒体が炎管に接触しているところと２次媒体に接触しているところとの温度差が加熱される時間が長いほど大きくなり、１次媒体の蓄熱効果がより発揮されるところにある。１次媒体の吸熱・放熱がより効果的になるよう、缶体の材質に熱伝導の良い材料を使用したり、構造を縦型・横型等にすることで、高効率・省燃料化にすぐれたボイラーが可能になった。【選択図】図−１
2004270983.tif 000002
【特許請求の範囲】
【請求項１】
チリ硝石を熱媒体としたボイラー
【発明の詳細な説明】
【０００１】
【発明が属する技術分野】
本発明は、熱媒体を使用したボイラーに関するものである。
【０００２】
【従来の技術】
熱媒体に水、またはオイルを１次加熱して、温水、蒸気また熱交換器等に使用しているのが従来であり、ボイラー効率を上げるためボイラー構造の改良、及び燃料の燃焼効率の改善が進められてきた。
【０００３】
しかし、水またはオイル等はバーナー等の高温の熱源で加熱しても熱の吸収効率が良い媒体ではなく、加熱した熱量の約１５％は利用されずに外部に放出されてきた。
【０００４】
今地球の温暖化が進んできているのも、この様なエネルギー効率の悪さも原因の一つに上げられると思われる。
【０００５】
この改善策として、熱吸収効率の高いボイラーが出来た。
【０００６】
【発明が解決しようとする課題】
解決しようとする課題は熱効率の向上とボイラー効率の向上である。
【０００７】
【課題を解決するための手段】
本発明は、熱吸収性にすぐれ又放熱性が良い特性を持つチリ硝石を１次媒体に使用することである。
【０００８】
【発明の実施の形態】
チリ硝石を１次媒体に使用したことで、熱効率がよくボイラー効率の良いボイラーが実現した。
【０００９】
【実施例】
図−１は、本発明装置の１実施例の断面図であって、熱源が炎管を通過するとき１次媒体が加熱され、  次に２次媒体が加熱される様子を図示したものである。
【００１０】
【実施形態の効果】
チリ硝石は加熱すると温度上昇速度が速く、加熱を停止すると温度冷却速度が速いと言う特性が有り、
一方水は温度上昇速度が遅く、冷却速度が遅いと言う特性が有ります。この特性を利用すると、
図−１で示すように炎管を熱源が通過すると、１次媒体のチリ硝石は熱を吸収しやすい特徴を発揮して、
高効率で吸熱し２次媒体に放熱する。
【００１１】
しかし２次媒体は熱吸収が遅く１次媒体からの放熱を全て受け止められません。そこで１次媒体は吸収  されなかった熱を蓄熱し徐々に温度が上昇して来る。
【００１２】
加熱を停止した時、蓄熱された１次媒体からの放熱により２次媒体の温度が上昇する。
【００１３】
この様に１次媒体の蓄熱効果を発揮させるのに、１次媒体の量を増加し、１次媒体の熱源に接する面積を増加させ、１次媒体と２次媒体との接触面積を増加させる事により高効率のボイラーが出来た。
【００１４】
【発明の効果】
この様にチリ硝石を１次媒体としたボイラーを使用する事によりボイラー効率の飛躍的な上昇による    燃料の節約に大きく貢献出来た。
【図面の簡単な説明】
【図−１】ボイラーの縦断面として、１次媒体、２次媒体、炎管の位置関係を示したものである。
【符号の説明】
１  １次媒体（チリ硝石）          図−１
２  ２次媒体（水、オイル等）  図−１
３  炎管                                          図−１
【図−１】
2004270983.tif 000003
(57)【要約】【課題】追加情報の運転免許証への書込み及び当該データベースへの書込みを比較的簡単に行うことが出来るシステムを提供する。【解決手段】運転免許証Ａの表面に記録された情報の読取り装置１ａと、裏面の記載欄に追加情報を印刷する印刷装置１ｂとを備えた運転免許証取込み排出装置１と、前記追加情報を前記印刷装置１ｂとデータベースへ送信する通信装置を備えた情報入力装置２とから成り、前記運転免許証取込み排出装置１への運転免許証Ａの挿入によって、運転免許証Ａの裏面記載欄への追加情報の印刷及び当該運転免許証Ａのデータベースへの追加情報の書込みを行うことができる運転免許証及びそのデータベースへの追加情報書込みシステム。【選択図】  図１
2004268389.tif 000002
【特許請求の範囲】
【請求項１】
運転免許証の表面に記録された情報の読取り装置と、裏面の記載欄に追加情報を印刷する印刷装置とを備えた運転免許証取込み排出装置と、前記追加情報を前記印刷装置とデータベースへ送信する情報入力装置とから成り、前記運転免許証取込み排出装置への運転免許証の挿入によって、運転免許証裏面の記載欄への追加情報の印刷及び当該運転免許証のデータベースへの追加情報の書込みを行うことを特徴とする運転免許証及びそのデータベースへの追加情報書込みシステム。
【発明の詳細な説明】
【０００１】
【発明の属する技術分野】
本発明は、違反事項等の追加情報を運転免許証の裏面記載欄へ印刷並びに、当該運転免許証のデータベースへの追加情報の書込み、更には違反キップの発行をも行うことが可能の運転免許証及びそのデータベースへの追加情報書込みシステムに関するものである。
【０００２】
【従来の技術】
周知のように、交通違反があった時、運転免許証への違反事項の書込み及び違反キップの発行がなされ、後日その違反事項について、データベースへの書込みが行われている。
【０００３】
ところが、運転免許証への書込みは、立ったまま奇麗に記入しようとすると意外に面倒であると共に、データベースへの書込みの手間が煩わしかった。
【０００４】
【先行技術文献】
本発明は新しいシステムなので、先行技術文献は記載できない。
【０００５】
【発明が解決しようとする課題】
そこで本発明は、追加情報の運転免許証への書込み及び当該データベースへの書込みを比較的簡単に行うことが出来るシステムを提供しようとするものである。
【０００６】
【課題を解決するための手段】
本発明は、上記の課題を解決するためになされたもので、運転免許証の表面に記録された情報の読取り装置と、裏面の記載欄に追加情報を印刷する印刷装置とを備えた運転免許証取込み排出装置と、前記追加情報を前記印刷装置とデータベースへ送信する情報入力装置とから成り、前記運転免許証取込み排出装置への運転免許証の挿入によって、運転免許証裏面の記載欄への追加情報の印刷及び当該運転免許証のデータベースへの追加情報の書込みを行うことを特徴とする運転免許証及びそのデータベースへの追加情報書込みシステムである。
【０００７】
情報入力装置としてはパソコンや携帯電話に用いられるテンキー式の入力装置等が用いられる。また、データベースのあるホストコンピュータと情報入力装置との通信は、有線方式でも無線方式でもよい。
【０００８】
【発明の実施の形態】
図１は本発明システムの構成を示すブロック図で、１は運転免許証Ａの表面に記録された情報（所持者データ）の読取装置１ａ（例えば光学的スキャナ、磁気的スキャナ）と、運転免許証Ａの裏面備考欄に所持者データを印刷する印刷装置１ｂを備えた運転免許証取込み排出装置、２は前記運転免許証取込み排出装置を制御する情報入力装置、３はデータベース３ａを具備するホストコンピュータで、前記情報入力装置２との情報通信は有線または無線で行う。
【０００９】
図２は携帯電話様式で具体化した本発明実施例の斜視図、図３は読取装置１ａと印刷装置１ｂの配置を示す概略図で、この実施例の場合は、読取装置１ａと印刷装置１ｂを上下に配置し、テンキー４を用いて追加情報を入力した後、運転免許証Ａを挿入口５に挿入すると、運転免許証Ａの表面に記載された所持者データ（氏名、本籍、住所、有効期限等）が読取装置１ａによって順次読取られ、同時に追加情報が印刷装置１ｂによって裏面へ印刷され、且つホストコンピュータ３のデータベース３ａヘ追加情報が無線送信されて書込まれるよう構成されている。
【００１０】
実施例では小型化のため、ヘッドが固定式の読取装置１ａと印刷装置１ｂを上下に対向して設けたが、位置をずらして所持者のデータを読取ってから追加情報を印刷するようにしてもよいし、装置が大型となるが、ヘッドが可動式の読取装置と印刷装置を使用してもよい。
【００１１】
図中、６及び７は搬送用ローラ、８及び９は補助ローラ、１０はストッパ、１１はジョグダイヤル、１２は印刷ボタン、１３はディスプレイ画面、１４はアンテナである。
【００１２】
この実施例では、テンキー４を用いて追加情報を入力した後、運転免許証Ａの裏面を上にして挿入口５に入れ、ジョグダイヤル１１のａ部を押すと、運転免許証Ａは取り込まれ、所持者のデータの読取りと追加情報の印刷が行われ、同時に図示しない内蔵の通信装置により、ホストコンピュータ３へ追加情報が送信されデータベース３ａへ記録される。なお、印刷及び所持者データの読取り開始及び送信開始は挿入口５内に設けたセンサによって行うようにしてもよい。
【００１３】
そしてジョグダイヤル１１のｂ部を押すと、運転免許証Ａは挿入口５から排出される。しかして挿入口５に違反キップ（図示せず）を入れ、印刷ボタン１２を押し、ジョグダイヤル１１のａ部を押すと、所持者情報、追加情報、違反金等が印刷され、ジョグダイヤル１１のｂ部を押すと、違反キップが排出される。従って、この実施例のシステムでは違反キップの発行もできる。
【００１４】
【発明の効果】
本発明によれば、運転免許証への追加情報の印刷及びデータベースへの追加情報の書込み、更には違反キップの発行をリアルタイムに実行できるので、違反取締りに伴う事務処理の迅速化に極めて有用なシステムである。
【図面の簡単な説明】
【図１】本発明にかかるシステムのブロック図。
【図２】本発明の実施例の斜視図。
【図３】本発明の実施例の内部構成を示す概略図。
【符号の説明】
Ａ      運転免許証
１      運転免許証取込み排出装置
１ａ      読取装置
１ｂ      印刷装置
２      情報入力装置
３      ホストコンピュータ
３ａ      データベース
４      テンキー
５      挿入口
６，７      搬送用ローラ
８，９      補助ローラ
１０      ストッパ
１１      ジョグダイヤル
１２      印刷ボタン
【図１】
2004268389.tif 000003
【図２】
2004268389.tif 000004
【図３】
2004268389.tif 000005
(57)【要約】【課題】本などの折り込みの地図などを、ページを閉じたりせず、本を見ながら本の上側で見ることが出来るようにする。【解決手段】本などの一方の表紙の裏側で折り込みの一端を固着させたり、あるいは着脱自在に保持し、反対側の表紙の裏側に、折り込みの他の一端を着脱自在に保持することによって、折り込みを本の上側で見ることが出来るようにする。【選択図】図２
2004268561.tif 000002
【特許請求の範囲】
【請求項１】
本などの片側の表紙の裏側に折り込みの一端を固着させ、折り込みの他の一端を反対側の表紙の裏側に設けられたポケットに挿入し、着脱自在に保持し、本などの上側で折り込みを見るよう構成された上側閲覧式折り込み。
【請求項２】
本などの片側の表紙の裏側にもポケットを設け、折り込みの一端を挿入し、折り込み全体を着脱自在に保持した請求項１の上側閲覧式折り込み。
【発明の詳細な説明】
【０００１】
【発明の属する技術分野】本、雑誌、日記などの表や裏の表紙の裏側部分に付備されている地図や年表などの折り込みの構成に関するものである。
【０００２】
【従来の技術】本などの裏側に折り込みを折りたたんで一端を固着して付備され、本などの横側に広げてみるものなどがある。
【０００３】
【発明が解決しようとする課題】従来の折り込みの場合、読書中などに折り込みを見ようとすれば、一旦ページを閉じたりして表紙の裏側の折り込みを広げたりしなければならず、煩わしく読書の妨げになる。
【０００４】このような問題を解決するために、読書中にページを閉じて表紙の裏側の折り込みを広げなくても、常に折り込みを見ることが出来るようにする。
【０００５】
【課題を解決するための手段】折り込みを両側の表紙の裏側で保持し、読書中などであっても図３のように本の上側で見ることが出来るように構成する。
【０００６】
【発明の実施の形態】容易に折り曲げることが出来、収納に適した厚さと、使用に適した強度を持つ紙などで、図１のように折り込みＦ１を構成し、図２のように固着部３を表紙Ｄ９の裏側に糊などで固着する。
【０００７】収納に適した厚さと、使用に適した強度を持つ紙などで、挿入部４が滑らかに挿入され、且つ、十分な保持力を持つ広さを持ったポケット５を表紙Ｅ１０の裏側に糊などで固着する。
【０００８】地図などの表示部Ｈ２を本などの上側で見るために、図２のように挿入部４をポケット５に挿入する。
【０００９】容易に折り曲げることが出来、収納に適した厚さと使用に適した強度を持つ紙などで図７のように折り込みＧ１３を構成する。
【００１０】収納に適した厚さと使用に適した強度を持つ紙などで、図８のように大挿入部１５が滑らかに挿入され、且つ、十分な保持力を持つ広さの大ポケット２０を表紙Ｄ９の裏側に糊などで固着する。
【００１１】図８のように大挿入部１５を大ポケット２０に、小挿入部１６をポケット５に挿入し、折り込みＧ１３を本などの上側で見れるように着脱自在に保持する。
【００１２】折り込みＦ１を表紙Ｄ９の裏側に収納する為には折り曲げ部Ａ６、折り曲げ部Ｂ７、折り曲げ部Ｃ８を設けて、図４のように折り曲げ部Ａ６を１８０度折り曲げ、次に図５のように折り曲げ部Ｂ７を１８０度折り曲げ、さらに図６のように折り曲げ部Ｃ８を１８０度折り曲げ、折り込みＦ１を表紙Ｄ９裏側に収納する。折り込みＧ１３の収納も同様である。
【００１３】
【発明の効果】図３のような状態で、折り込みを見ることが出来れば、読書中のページを閉じたりする煩わしさから解放される。
【００１４】又、折り込みＦ１の表示部Ｈ２が本などの上側に位置するので大変見やすくなる。
【００１５】折り込みＧのように折り込み全体を着脱自在に出来れば、必要に応じて折り込みの種類を取り変えることが出来る。
【図面の簡単な説明】
【図１】折り込みＦ１の正面図
【図２】折り込みＦ１の一端を固着し、他端をポケットに挿入した図
【図３】読書中などに折り込みＦ１を利用している図
【図４】折り曲げ部Ａ６を１８０度折り曲げた図
【図５】図４の状態から折り曲げ部Ｂ７を１８０度曲げた図
【図６】図５の状態から折り曲げ部１Ｃを１８０度曲げた図
【図７】折り込みＧ１３の正面図
【図８】折り込みＧ１３の大挿入部１５を大ポケット２０に挿入し、小挿入部１６をポケット５に挿入した図
【符号の説明】
１．折り込みＦ
２．表示部Ｈ
３．固着部
４．挿入部
５．ポケット
６．折り曲げ部Ａ
７．折り曲げ部Ｂ
８．折り曲げ部Ｃ
９．表紙Ｄ
１０．表紙Ｅ
１１．閉じられたページ部
１２．広げられたページ部
１３．折り込みＧ
１４．表示部Ｉ
１５．大挿入部
１６．小挿入部
１７．折り曲げ部Ｊ
１８．折り曲げ部Ｋ
１９．折り曲げ部Ｌ
２０．大ポケット
【図１】
2004268561.tif 000003
【図２】
2004268561.tif 000004
【図３】
2004268561.tif 000005
【図４】
2004268561.tif 000006
【図５】
2004268561.tif 000007
【図６】
2004268561.tif 000008
【図７】
2004268561.tif 000009
【図８】
2004268561.tif 000010